(57)【要約】【課題】セルラーシステムと無線ＬＡＮとの間で共用される周波数帯域が無線ＬＡＮにおいて使用可能な機会の減少を抑えることを可能にする。【解決手段】セルラーシステムと無線ＬＡＮ（Local  Area  Network）との間で共用される周波数帯域の測定情報であって、無線ＬＡＮのアクセスポイントにより提供される上記測定情報を取得する取得部と、上記測定情報に基づいて、上記セルラーシステムのために上記周波数帯域をどの程度の時間占有するかを決定する制御部と、を備える装置が提供される。【選択図】図１３
2015146340.tif 000002
【特許請求の範囲】
【請求項１】
セルラーシステムと無線ＬＡＮ（Local  Area  Network）との間で共用される周波数帯域の測定情報であって、無線ＬＡＮのアクセスポイントにより提供される前記測定情報を取得する取得部と、
前記測定情報に基づいて、前記セルラーシステムのために前記周波数帯域をどの程度の時間占有するかを決定する制御部と、
を備える装置。
【請求項２】
前記アクセスポイントに前記測定情報を要求する要求部をさらに備える、請求項１に記載の装置。
【請求項３】
前記アクセスポイントは、受信される１つ以上のビーコンの受信電力に基づいて選択されるアクセスポイントである、請求項２に記載の装置。
【請求項４】
前記測定情報は、ＩＥＥＥ  ８０２．１１ｋに準拠したレポート、又は当該レポートに基づいて生成される情報である、請求項１に記載の装置。
【請求項５】
前記アクセスポイントは、ＲＲＭ（Radio  Resource  Management）ケイパビリティＩＥ（Information  Element）を含むビーコンを送信するアクセスポイントである、請求項４に記載の装置。
【請求項６】
前記制御部は、無線ＬＡＮのアクセスポイントにより送信されるビーコンの受信状況に基づいて、前記セルラーシステムのために前記周波数帯域をどの程度の時間占有するかを決定する、請求項１に記載の装置。
【請求項７】
前記制御部は、前記受信状況に関する所定の条件が満たされる場合には、当該所定の条件が満たされない場合よりも、前記周波数帯域をより長い時間占有することを決定する、請求項６に記載の装置。
【請求項８】
前記制御部は、前記受信状況に関する所定の条件が満たされない場合に、前記測定情報に基づいて、前記セルラーシステムのために前記周波数帯域をどの程度の時間占有するかを決定する、請求項６に記載の装置。
【請求項９】
前記制御部は、前記受信状況に関する所定の条件が満たされず、且つ、前記測定情報が提供されない場合に、前記セルラーシステムのために前記周波数帯域を占有しないことを決定する、請求項６に記載の装置。
【請求項１０】
前記制御部は、前記受信状況に関する所定の条件が満たされず、且つ、前記測定情報が提供されない場合に、無線ＬＡＮ規格に準拠した所定のフレームの前記周波数帯域における受信状況に基づいて、前記セルラーシステムのために前記周波数帯域をどの程度の時間占有するかを決定する、請求項６に記載の装置。
【請求項１１】
前記所定の条件は、無線ＬＡＮのアクセスポイントにより送信されるいずれのビーコンの受信電力も所定の閾値未満であること、又は、無線ＬＡＮのアクセスポイントにより送信されるいずれのビーコンの受信電力も所定の閾値以下であることである、請求項７に記載の装置。
【請求項１２】
前記制御部は、無線ＬＡＮのアクセスポイントのバッファリングの状況に基づいて、前記セルラーシステムのために前記周波数帯域を占有するタイミングを決定する、請求項１に記載の装置。
【請求項１３】
前記制御部は、前記セルラーシステムのための前記周波数帯域の占有時間を決定する、請求項１に記載の装置。
【請求項１４】
前記制御部は、前記セルラーシステムのための前記周波数帯域の時間占有率を決定する、請求項１に記載の装置。
【請求項１５】
前記周波数帯域は、無線ＬＡＮのチャネルである、請求項１に記載の装置。
【請求項１６】
前記装置は、前記セルラーシステムの基地局、当該基地局のための基地局装置、又は当該基地局装置のためのモジュールである、請求項１に記載の装置。
【請求項１７】
セルラーシステムと無線ＬＡＮとの間で共用される周波数帯域の測定情報であって、無線ＬＡＮのアクセスポイントにより提供される前記測定情報を取得することと、
プロセッサにより、前記測定情報に基づいて、前記セルラーシステムのために前記周波数帯域をどの程度の時間占有するかを決定することと、
を含む方法。
【請求項１８】
セルラーシステムと無線ＬＡＮとの間で共用される周波数帯域の測定情報であって、無線ＬＡＮ装置により生成される当該測定情報を取得する取得部と、
前記測定情報を前記セルラーシステムの基地局に提供する提供部と、
を備える装置。
【請求項１９】
前記装置は、無線ＬＡＮのアクセスポイント、又は前記アクセスポイントのためのモジュールである、請求項１８に記載の装置。
【請求項２０】
セルラーシステムと無線ＬＡＮとの間で共用される周波数帯域の測定情報であって、無線ＬＡＮ装置により生成される当該測定情報を取得することと、
プロセッサにより、前記測定情報を前記セルラーシステムの基地局に提供することと、
を含む方法。
【発明の詳細な説明】
【技術分野】
【０００１】
本開示は、装置及び方法に関する。
【背景技術】
【０００２】
３ＧＰＰ（3rd  Generation  Partnership  Project）において、システムスループットを向上させる様々な技術が議論されている。システムスループットを向上するためには、使用する周波数を増やすことが一番の近道と言える。３ＧＰＰでは、リリース１０及びリリース１１において、キャリアアグリゲーション（Carrier  Aggregation：ＣＡ）という技術が検討された。ＣＡは、２０ＭＨｚの帯域幅を有するコンポーネントキャリア（Component  Carrier：ＣＣ）を束ねて使用することにより、システムスループット及び最大のデータレートを向上させる技術である。このＣＡの技術を採用するためには、ＣＣとして使用可能な周波数帯域が必要である。そのため、セルラーシステムの無線通信に使用可能なさらなる周波数帯域が求められている。【０００３】
さらなる周波数帯域を使用するための技術として、周波数帯域を共用する技術が提案されている。例えば、特許文献１には、異なるネットワークの各々の送信装置の送信パラメータをネットワーク間で協調して制御することによりネットワーク全体のキャパシティの総和を増加させる技術が開示されている。また、特許文献２には、プライマリシステム（テレビ放送システム）に割り当てられている専用の周波数帯域などを他のシステムにおいてコンテンション方式で使用する場合に、プライマリシステムへの時間的に連続する干渉を回避する技術が、開示されている。
【先行技術文献】
【特許文献】
【０００４】
【特許文献１】特開２０１０−０７５３３６号公報
【特許文献２】特開２０１３−１７６０１５号公報
【発明の概要】
【発明が解決しようとする課題】
【０００５】
例えば、無線ＬＡＮ（Local  Area  Network）の周波数帯域がセルラーシステムでも使用されることが考えられる。即ち、セルラーシステムと無線ＬＡＮとの間で周波数帯域が共用されることが考えられる。しかし、例えば、特許文献１及び２に開示されている技術では、上記周波数帯域がセルラーシステムにおいて使用される場合に、上記周波数帯域が無線ＬＡＮにおいて使用可能な機会が著しく減少し得る。【０００６】
例えば、特許文献１に開示されている技術は、異なるネットワークの装置の集中的な制御が可能であることを前提とする。しかし、一般的に無線ＬＡＮでは各装置がコンテンション方式で自主的に動作するので、セルラーシステムと無線ＬＡＮとの間で周波数帯域が共用されるケースに、特許文献１に開示されている技術を適用するのは困難である。そのため、例えば、上記周波数帯域がセルラーシステムにおいて使用され、その結果、無線ＬＡＮ装置（アクセスポイント又はステーション）が衝突回避のために上記周波数帯域を使用できない機会が著しく多くなる可能性もある。即ち、上記周波数帯域が無線ＬＡＮにおいて使用可能な機会が著しく減少し得る。【０００７】
また、例えば、特許文献２に開示されている技術は、プライマリシステム（テレビ放送システム）の周波数帯域（又は隣接する周波数帯域）が他のシステムにおいて使用される場合に、プライマリシステムへの時間的に連続する干渉を回避することを可能にする。そのため、無線ＬＡＮの周波数帯域がセルラーシステムでも使用される場合に、特許文献２に開示されている技術によれば、無線ＬＡＮへの時間的に連続する干渉が回避される可能性がある。しかし、上記周波数帯域が無線ＬＡＮにおいて使用可能な機会は依然として著しく減少する可能性がある。【０００８】
そこで、セルラーシステムと無線ＬＡＮとの間で共用される周波数帯域が無線ＬＡＮにおいて使用可能な機会の減少を抑えることを可能にする仕組みが提供されることが望ましい。
【課題を解決するための手段】
【０００９】
本開示によれば、セルラーシステムと無線ＬＡＮ（Local  Area  Network）との間で共用される周波数帯域の測定情報であって、無線ＬＡＮのアクセスポイントにより提供される上記測定情報を取得する取得部と、上記測定情報に基づいて、上記セルラーシステムのために上記周波数帯域をどの程度の時間占有するかを決定する制御部と、を備える装置が提供される。【００１０】
また、本開示によれば、セルラーシステムと無線ＬＡＮとの間で共用される周波数帯域の測定情報であって、無線ＬＡＮのアクセスポイントにより提供される上記測定情報を取得することと、プロセッサにより、上記測定情報に基づいて、上記セルラーシステムのために上記周波数帯域をどの程度の時間占有するかを決定することと、を含む方法が提供される。【００１１】
また、本開示によれば、セルラーシステムと無線ＬＡＮとの間で共用される周波数帯域の測定情報であって、無線ＬＡＮ装置により生成される当該測定情報を取得する取得部と、上記測定情報を上記セルラーシステムの基地局に提供する提供部と、を備える装置が提供される。【００１２】
また、本開示によれば、セルラーシステムと無線ＬＡＮとの間で共用される周波数帯域の測定情報であって、無線ＬＡＮ装置により生成される当該測定情報を取得することと、プロセッサにより、上記測定情報を上記セルラーシステムの基地局に提供することと、を含む方法が提供される。
【発明の効果】
【００１３】
以上説明したように本開示によれば、セルラーシステムと無線ＬＡＮとの間で共用される周波数帯域が無線ＬＡＮにおいて使用可能な機会の減少を抑えることが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１４】
【図１】ＣＳＭＡ／ＣＡの仕組みを説明するための説明図である。
【図２】ＲＴＳフレームの構成を説明するための説明図である。
【図３】ＣＴＳフレームの構成を説明するための説明図である。
【図４】フレーム制御フィールドの詳細を説明するための説明図である。
【図５】一実施形態に係る通信システム１の概略的な構成の一例を示す説明図である。
【図６】セルラーシステムにおける共用帯域の使用の例を説明するための説明図である。
【図７】同実施形態に係る基地局の構成の一例を示すブロック図である。
【図８】セルラーシステムにおける共用帯域の占有の第１の例を説明するための説明図である。
【図９】セルラーシステムにおける共用帯域の占有の第２の例を説明するための説明図である。
【図１０】セルラーシステムにおける共用帯域の占有の第３の例を説明するための説明図である。
【図１１】同実施形態に係るアクセスポイントの構成の一例を示すブロック図である。
【図１２】同実施形態に係る基地局の処理の概略的な流れの一例を示すフローチャートである。
【図１３】同実施形態に係る第１決定処理の概略的な流れの一例を示すフローチャートである。
【図１４】同実施形態に係るアクセスポイントの処理の概略的な流れの一例を示すフローチャートである。
【図１５】同実施形態の変形例に係る基地局の処理の概略的な流れの一例を示すフローチャートである。
【図１６】同実施形態に係る第２決定処理の概略的な流れの一例を示すフローチャートである。
【図１７】ｅＮＢの概略的な構成の第１の例を示すブロック図である。
【図１８】ｅＮＢの概略的な構成の第２の例を示すブロック図である。
【図１９】無線アクセスポイントの概略的な構成の一例を示すブロック図である。
【発明を実施するための形態】
【００１５】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．はじめに
２．通信システムの概略的な構成
３．各装置の構成
３．１．基地局の構成
３．２．アクセスポイントの構成
４．処理の流れ
５．変形例
６．応用例
７．まとめ
【００１７】
＜＜１．はじめに＞＞
まず、図１〜図４を参照して、無線ＬＡＮに関する技術を説明する。
【００１８】
（アクセス方式）
ＩＥＥＥ８０２．１１のアクセス方式には、ＤＣＦ（Distributed  Coordination  Function）方式及びＰＣＦ（Point  Coordination  Function）方式の２つがある。ＤＣＦは、一定のルールに従ってＢＳＳ（Basic  Service  Set）内でアクセス権を競う方式である。一方、ＰＣＦは、ＢＳＳ内でアクセス権を集中的に制御する方式である。一般に、無線ＬＡＮのアクセス方式として、ＤＣＦが広く普及している。
【００１９】
（ａ）ＣＳＭＡ／ＣＡ
ＤＣＦでは、ＣＳＭＡ／ＣＡ（Carrier  Sense  Multiple  Access/Collision  Avoidance）が使用される。以下、図１を参照してＣＳＭＡ／ＣＡの仕組みを説明する。
【００２０】
図１は、ＣＳＭＡ／ＣＡの仕組みを説明するための説明図である。図１を参照すると、ステーション１〜３（ＳＴＡ−１〜３）及びアクセスポイント（ＡＰ）が示されている。この例では、ＳＴＡ１がＡＰへデータを送信する。ＳＴＡ−２は、ＳＴＡ−１の通信範囲内に位置する。ＳＴＡ−３は、ＳＴＡ−１の通信範囲内には位置しないが、ＡＰの通信範囲内に位置する。ＳＴＡ−１は、ビジー期間の終了後に、ＤＩＦＳ（DCF  Inter  Frame  Spacing）という期間の間、信号が送信されていないことを確認する。その後、ＳＴＡ−１は、端末装置ごとにランダムに設定されるバックオフ時間だけさらに待機し、バックオフ時間の間にも信号が送信されていなければ、ＲＴＳ（Request  To  Send）フレームを送信する。すると、ＡＰ及びＳＴＡ−２が、当該ＲＴＳフレームを受信する。ＳＴＡ−２は、ＲＴＳフレームの受信に応じて、ＲＴＳフレームの持続時間（duration）フィールドに含まれる値を取得し、ＮＡＶ（Network  Allocation  Vector）として当該値を設定する。すると、ＳＴＡ−２は、ＡＰによるＡＣＫフレームの送信が終了するまでの期間にわたって信号を控える。ＡＰは、ＲＴＳフレームの受信に応じて、ＲＴＳフレームの終了からＳＩＦＳ（Short  InterFrame  Space）だけ後に、ＣＴＳ（Clear  To  Send）フレームを送信する。すると、ＳＴＡ−１及びＳＴＡ−３が、当該ＣＴＳフレームを受信する。ＳＴＡ−３は、ＣＴＳフレームの受信に応じて、ＣＴＳフレームの持続時間（duration）フィールドに含まれる値を取得し、ＮＡＶとして当該値を設定する。すると、ＳＴＡ−２は、ＡＰによるＡＣＫフレームの送信が終了するまでの期間にわたって信号を控える。ＳＴＡ−１は、ＣＴＳフレームの受信に応じて、ＣＴＳフレームの終了からＳＩＦＳだけ後に、ＡＰへのデータフレームを送信する。そして、ＡＰは、データフレームの終了からＳＩＦＳだけ後に、ＳＴＡ−１へのＡＣＫフレームを送信する。このように、ＳＴＡ−１がデータをＡＰへ送信する間にＳＴＡ−２及びＳＴＡ−３は信号の送信を控えるので、衝突が回避される。
【００２１】
なお、上記バックオフ時間は、ＳＴＡ−１におけるコンテンションウィンドウ（Contention  Window：ＣＷ）値と１との間からランダムに選ばれる整数値にスロットタイムを乗じることにより得られる時間である。ＣＷ値は、初期値として最小値であり、その後ＡＣＫが受信されず再送が行われるたびに次に大きな値になり、バックオフ時間の算出のためのパラメータとして使用される。
【００２２】
また、ＤＩＦＳは、スロットタイムの２倍とＳＩＦＳとの和である。
【００２３】
ＩＥＥＥ８０２．１１シリーズの各規格におけるＣＷ値の最大値及び最小値、ＳＩＦＳ、スロットタイム並びにＤＩＦＳは、以下のとおりである。
【００２４】
【表１】
2015146340.tif 000003
【００２５】
（ｂ）フレームの構成
以下、図２〜図４を参照して、ＲＴＳフレームの構成及びＣＴＳフレームの構成を説明する。
【００２６】
図２は、ＲＴＳフレームの構成を説明するための説明図である。図２を参照すると、ＲＴＳフレームは、フレーム制御（Frame  control）フィールド、持続時間（Duration）フィールド、受信アドレス（ＲＡ）フィールド、送信アドレス（ＴＡ）フィールド及びＦＣＳ（Frame  Check  Sequence）を含む。フレーム制御フィールドには、後述のように制御情報が含まれる。持続時間フィールドには、ＲＴＳフレームの送信の終了からＡＣＫフレームの送信の終了までの時間（即ち、３つのＳＩＦＳ、ＣＴＳフレーム長、データフレーム長及びＡＣＫフレーム長の和の時間）を示す値が含まれる。ＲＴＳフレームを受信する装置は、例えば、当該値をＮＡＶとして設定し得る。受信アドレスフィールドには、ＲＴＳフレームの宛先の端末のＭＡＣアドレスが含まれ、送信アドレスフィールドには、ＲＴＳフレームの送信元の端末のＭＡＣアドレスが含まれる。ＦＣＳは、フレームデータのチェック用のシーケンスである。
【００２７】
図３は、ＣＴＳフレームの構成を説明するための説明図である。図３を参照すると、ＣＴＳフレームは、フレーム制御フィールド、持続時間フィールド、受信アドレスフィールド及びＦＣＳを含む。フレーム制御フィールドには、後述のように制御情報が含まれる。持続時間フィールドには、ＣＴＳフレームの送信の終了からＡＣＫフレームの送信の終了までの時間（即ち、２つのＳＩＦＳ、データフレーム長及びＡＣＫフレーム長の和の時間）を示す値が含まれる。当該値は、ＲＴＳフレームの持続時間フィールドに含まれる値からＣＴＳフレーム長及びＳＩＦＳの和を差し引くことにより得られる値である。ＣＴＳフレームを受信する装置は、当該値をＮＡＶとして設定し得る。受信アドレスフィールドには、ＣＴＳフレームの宛先の端末のＭＡＣアドレスが含まれる。ＦＣＳは、フレームデータのチェック用のシーケンスである。なお、ＡＣＫフレームの構成は、ＣＴＳフレームの構成と同様である。
【００２８】
図４は、フレーム制御フィールドの詳細を説明するための説明図である。プロトコルバージョンフィールドには、通常０が含まれ、ＩＥＥＥ８０２．１１プロトコルが使用されていることが示される。タイプフィールドには、フレームのタイプを示す値が含まれる。当該値は、管理（Management）フレームの場合には００であり、制御フレームの場合には０１であり、データフレームの場合には１０である。ＲＴＳフレーム及びＣＴＳフレームは制御フレームであるので、ＲＴＳフレーム及びＣＴＳフレームのタイプフィールドには、０１が含まれる。また、サブタイプフィールドには、より詳細なタイプを示す値が含まれる。ＲＴＳフレームのサブタイプフィールドには、１０１１が含まれ、ＣＴＳフレームのサブタイプフィールドには、１１００が含まれる。Ｔｏ  ＤＳフィールドには、フレームがＳＴＡからＡＰへのフレームか又はＡＰからＳＴＡへのフレームかを示す値が含まれる。モアフラグメント（More  Fragment）フィールドには、データのフラグメントを示す値が含まれる。リトライ（Retry）フィールドには、フレームの送信が再送であるかを示す値が含まれ、当該値は、１である場合に、フレームの送信が再送であることを示す。電力管理（Power  Management）フィールドには、ＳＴＡがパワーセーブモードであるかを示す値が含まれる。当該値は、１である場合に、ＳＴＡがパワーセーブモードであることを示す。モアデータ（More  Data）フィールドには、パワーセーブモードであるＳＴＡへの送信データがＡＰにあるかを示す値が含まれる。保護フレーム（Protected  Frame）フィールドには、ＭＡＣ  ＳＤＵ（Service  Data  Unit）データが暗号化されているかを示す値が含まれる。
【００２９】
（ビーコン）
インフラストラクチャモードでは、ＡＰは、通常１００ｍｓごとにビーコンを送信する。ビーコンは、ステーション（ＳＴＡ）に必要なパラメータ（例えば、アクセスポイント（ＡＰ）の暗号方式、伝送速度及びＳＳＩＤ（Service  Set  Identifier）など）を含む。ビーコンの到達範囲が、ＡＰのサービス範囲に相当する。
【００３０】
また、ビーコンには、ある間隔で、ＤＴＩＭ（Delivery  Traffic  Information  Message）が含まれる。ＤＴＩＭは、ステーション宛てのデータがあることをステーションに通知する。上記ある間隔は、ＤＴＩＭ間隔と呼ばれる。パワーセーブモードのＳＴＡは、ＤＴＩＭのタイミングの直前に立ち上がり、例えばＡＰのバッファにデータがあることを知ると、ＰＳ−Ｐｏｌｌ（Power  Saving  Poll）フレームを送信し、データを受信する。なお、パワーセーブモードのＳＴＡは、ＡＰのバッファにデータがない場合には、再びパワーセーブモードに戻る。
【００３１】
（測定）
ＩＥＥＥ８０２．１１では、無線ＬＡＮにおけるＲＲＭ（Radio  Resource  Measurement）が定められている。詳細は、文献“IEEE  Standard  for  Information  technology  -  Telecommunications  and  Information  exchange  between  systems  -  Local  and  metropolitan  area  networks  -  Specific  requirements,  Part  11:  Wireless  LAN  Medium  Access  Control  (MAC)  and  Physical  Layer  (PHY)  Specifications,  Amendment  1:  Radio  Resource  Measurement  of  Wireless  LANs”において記載されている。
【００３２】
例えば、ＳＴＡは、ＡＰによる要求に応じて、無線ＬＡＮのチャネルについての測定を行い、当該チャネルについてのレポートをＡＰに提供する。また、ＳＴＡは、無線ＬＡＮのチャネルについてのレポートを他のＳＴＡに要求し得る。また、ＳＴＡは、他のＳＴＡによる要求に応じて、無線ＬＡＮのチャネルについての測定を行い得る。
【００３３】
上記測定情報として、チャネル負荷（Channel  load）レポート、ノイズヒストグラムレポート、ビーコンレポート、フレームレポート、ＳＴＡ統計（statistic）レポート、位置構成情報（Location  Configuration  Information）レポート、送信ストリーム／カテゴリ測定（Transmit  stream/category  measurement）レポート、及びネイバ（Neighbor）レポートなどがある。
【００３４】
第１に、チャネル負荷レポートは、チャネル利用の割合のレポートであり、チャネル負荷リファレンス値を含む。当該チャネル負荷リファレンス値は、０〜２５５のいずれかの値であり、２５５である場合に最大（１００％）である。当該チャネル負荷リファレンス値は、チャネルがビジーである割合に比例する。
【００３５】
第２に、ノイズヒストグラムレポートは、ＩＥＥＥ８０２．１１に準拠しない端末からの雑音のレポートであり、チャネルのアイドル時におけるある時間のＩＰＩ（Idle  Power  Indicator）密度値を含む。
【００３６】
第３に、ビーコンレポートは、他のアクセスポイントにより送信されるビーコンフレームのレポートであり、ビーコンフレームのＲＣＰＩ（Received  Channel  Power  Indicator）及びビーコン間隔などを含む。
【００３７】
第４に、フレームレポートは、他の装置により送信されるフレームのレポートであり、送信元ごとのアドレス、フレーム数及びＲＣＰＩなどを含む。
【００３８】
第５に、ＳＴＡ統計レポートは、データフレームの受信品質の統計のレポートであり、受信失敗回数、再送回数、フレーム重複回数、マルチキャストフレーム数、及び誤り検出失敗の回数などを含む。
【００３９】
第６に、位置構成情報レポートは、端末の位置情報のレポートであり、端末の緯度、経度及び高度などを含む。
【００４０】
第７に、送信ストリーム／カテゴリ測定レポートは、ＱｏＳ（Quality  of  Service）伝送における品質情報のレポートである。
【００４１】
第８に、ネイバレポートは、近隣のアクセスポイントに関する情報のレポートである。
【００４２】
＜＜２．通信システムの構成＞＞
まず、図５及び図６を参照して、本開示の実施形態に係る通信システム１の概略的な構成を説明する。図５は、本実施形態に係る通信システム１の概略的な構成の一例を示す説明図である。図５を参照すると、通信システム１は、基地局１００、アクセスポイント２００、セルラー端末３０及び無線ＬＡＮ端末４０を含む。
【００４３】
（基地局１００）
基地局１００は、セルラーシステムの基地局である。当該セルラーシステムは、セルラーシステムの通信規格に準拠し、基地局１００は、当該通信規格に準拠した無線通信（以下、「セルラー通信」と呼ぶ）を行う。当該通信規格は、例えば、３ＧＰＰ（Third  Generation  Partnership  Project）の通信規格である。より具体的には、例えば、上記通信規格は、ＬＴＥ、ＬＴＥ−Ａｄｖａｎｃｅｄ、又はこれらに準ずる通信規格である。
【００４４】
基地局１００は、セルラー端末３０とのセルラー通信を行う。例えば、基地局１００は、基地局１００の通信エリアであるセル１０内に位置するセルラー端末３０とのセルラー通信を行う。具体的には、例えば、基地局１００は、セルラー端末３０へのダウンリンク信号を送信し、セルラー端末３０からのアップリンク信号を受信する。
【００４５】
また、基地局１００は、アクセスポイント２００と通信する。例えば、基地局１００は、アクセスポイント２００との無線通信を行う。より具体的には、例えば、基地局１００は、アクセスポイント２００との、無線ＬＡＮ規格に準拠した無線通信（以下、「無線ＬＡＮ通信」と呼ぶ）を行う。当該無線ＬＡＮ規格は、例えば、ＩＥＥＥ８０２．１１シリーズ（ＩＥＥＥ８０２．１１ａ、１１ｂ、１１ｇ、１１ｎ、１１ａｃ及び１１ａｄなど）のうちのいずれかの規格である。なお、基地局１００は、バックホールを介してアクセスポイント２００と通信してもよい。
【００４６】
一例として、基地局１００は、スモール基地局であり、セル１０はスモールセルである。別の例として、基地局１００は、マクロ基地局であってもよく、セル１０はマクロセルであってもよい。
【００４７】
（セルラー端末３０）
セルラー端末３０は、セルラーシステムにおいて通信可能な端末である。セルラー端末３０は、基地局１００とのセルラー通信を行う。例えば、セルラー端末３０は、セル１０内に位置する場合に基地局１００とのセルラー通信を行う。具体的には、例えば、セルラー端末３０は、基地局１００からのダウンリンク信号を受信し、基地局１００へのアップリンク信号を送信する。
【００４８】
（アクセスポイント２００）
アクセスポイント２００は、無線ＬＡＮのアクセスポイントである。アクセスポイント２００は、無線ＬＡＮ規格に準拠した無線通信（即ち、無線ＬＡＮ通信）を行う。当該無線ＬＡＮ規格は、例えば、ＩＥＥＥ８０２．１１シリーズのうちのいずれかの規格である。
【００４９】
アクセスポイント２００は、無線ＬＡＮ端末４０との無線ＬＡＮ通信を行う。例えば、アクセスポイント２００は、アクセスポイント２００の通信エリア内に位置する無線ＬＡＮ端末４０との無線ＬＡＮ通信を行う。具体的には、例えば、アクセスポイント２００は、無線ＬＡＮ端末４０への信号を送信し、無線ＬＡＮ端末４０からの信号を受信する。
【００５０】
また、アクセスポイント２００は、基地局１００と通信する。例えば、アクセスポイント２００は、基地局１００との無線通信を行う。より具体的には、例えば、アクセスポイント２００は、基地局１００との無線ＬＡＮ通信を行う。なお、アクセスポイント２００は、バックホールを介して基地局１００と通信してもよい。
【００５１】
（無線ＬＡＮ端末４０）
無線ＬＡＮ端末４０は、無線ＬＡＮにおいて通信可能な端末である。無線ＬＡＮ端末４０は、ステーションと呼ばれ得る。無線ＬＡＮ端末４０は、アクセスポイント２００との無線ＬＡＮ通信を行う。例えば、無線ＬＡＮ端末４０は、アクセスポイント２００の通信エリア内に位置する場合にアクセスポイント２００との無線ＬＡＮ通信を行う。具体的には、例えば、無線ＬＡＮ端末４０は、アクセスポイント２００への信号を送信し、アクセスポイント２００からの信号を受信する。
【００５２】
（使用される周波数帯域）
（ａ）セルラー帯域
上記セルラーシステムでは、上記セルラーシステム用の周波数帯域（以下、「セルラー帯域」と呼ぶ）が使用される。当該セルラー帯域は、例えば、上記セルラーシステムの事業者に割当てられた帯域（ライセンスバンドとも呼ばれる）のコンポーネントキャリア（ＣＣ）である。
【００５３】
（ｂ）共用帯域
とりわけ本実施形態では、上記セルラーシステムでは、無線ＬＡＮの周波数帯域も使用される。即ち、上記セルラーシステムでは、セルラーシステムと無線ＬＡＮとの間で共用される周波数帯域（以下、「共用帯域」）も使用される。例えば、上記共用帯域は、無線ＬＡＮのチャネルである。一例として、上記共用帯域は、２０ＭＨｚのチャネルである。当該チャネルは、２．４ＧＨｚ帯のチャネルであってもよく、５ＧＭｚ帯のチャネルであってもよい。なお、上記セルラーシステムでは、１つの共用帯域のみが使用されてもよく、又は２つ以上の共用帯域が使用されてもよい。
【００５４】
例えば、上記セルラーシステムの複信方式は、ＦＤＤ（Frequency  Division  Duplex）である。この場合に、例えば、上記共用帯域は、ダウンリンク帯域として使用される。一例として、上記共用帯域の全部又は一部が、ダウンリンクコンポーネントキャリア（ＣＣ）として使用される。以下、この点について図６を参照して具体例を説明する。
【００５５】
図６は、セルラーシステムにおける共用帯域の使用の例を説明するための説明図である。図６を参照すると、基地局１００及びセルラー端末３０が示されている。また、基地局１００及びセルラー端末３０のセルラー通信に使用される２つのセルラー帯域及び１つの共用帯域が示されている。この例では、上記１つの共用帯域は、ダウンリンクＣＣとして使用される。また、上記２つのセルラー帯域のうちの一方は、アップリンクＣＣであり、上記２つのセルラー帯域のうちの他方は、ダウンリンクＣＣである。
【００５６】
なお、上記共用帯域の全部又は一部は、アップリンク帯域として使用されてもよい。一例として、上記共用帯域の全部又は一部が、アップリンクＣＣとして使用されてもよい。また、上記共用帯域の一部が、アップリンクＣＣとして使用され、上記共用帯域の他の一部が、ダウンリンクＣＣとして使用されてもよい。あるいは、共用帯域が、アップリンクＣＣとして使用され、他の共用帯域が、ダウンリンクＣＣとして使用されてもよい。
【００５７】
あるいは、上記セルラーシステムの複信方式は、ＴＤＤ（Time  Division  Duplex）であってもよく、上記共用帯域が、ダウンリンク及びアップリンクの帯域として使用されてもよい。
【００５８】
以上、本開示の実施形態に係る通信システム１を説明した。なお、当然ながら、基地局１００の周辺には、１つのアクセスポイント２００のみではなく、２つ以上のアクセスポイント２００が位置してもよい。
【００５９】
＜＜３．各装置の構成＞＞
続いて、図７〜図１１を参照して、本開示の実施形態に係る基地局１００及びアクセスポイント２００の構成を説明する。
【００６０】
＜３．１．基地局の構成＞
まず、図７〜図１０を参照して、本開示の実施形態に係る基地局１００の構成の一例を説明する。図７は、本開示の実施形態に係る基地局１００の構成の一例を示すブロック図である。図７を参照すると、基地局１００は、アンテナ部１１０、無線通信部１２０、ネットワーク通信部１３０、記憶部１４０及び処理部１５０を備える。
【００６１】
（アンテナ部１１０）
アンテナ部１１０は、無線通信部１２０により出力される信号を電波として空間に放射する。また、アンテナ部１１０は、空間の電波を信号に変換し、当該信号を無線通信部１２０へ出力する。
【００６２】
（無線通信部１２０）
（ａ）セルラー通信
無線通信部１２０は、セルラー通信の信号を送受信する。例えば、無線通信部１２０は、セル１０内に位置するセルラー端末３０へのダウンリンク信号を送信し、セル１０内に位置するセルラー端末３０からのアップリンク信号を受信する。
【００６３】
例えば、無線通信部１２０は、セルラー帯域を使用してセルラー通信の信号を送受信する。また、とりわけ本開示の実施形態では、無線通信部１２０は、共用帯域を使用してセルラー通信の信号を送受信する。
【００６４】
（ｂ）無線ＬＡＮ通信
例えば、無線通信部１２０は、無線ＬＡＮ通信の信号を送受信する。例えば、無線通信部１２０は、アクセスポイント２００への信号を送信し、アクセスポイント２００からの信号を受信する。例えば、無線通信部１２０は、共用帯域を使用して無線ＬＡＮ通信の信号を送受信する。
【００６５】
（ネットワーク通信部１３０）
ネットワーク通信部１３０は、他のノードと通信する。例えば、ネットワーク通信部１３０は、コアネットワークノード（例えば、ＭＭＥ（Mobility  Management  Entity）、Ｓ−ＧＷ（Serving  Gateway）及びＰ−ＧＷ（Packet  Data  Network  Gateway）など）と通信する。また、例えば、ネットワーク通信部１３０は、バックホールを介してアクセスポイント２００と通信してもよい。
【００６６】
（記憶部１４０）
記憶部１４０は、基地局１００の動作のためのプログラム及びデータを一時的にまたは恒久的に記憶する。
【００６７】
（処理部１５０）
処理部１５０は、基地局１００の様々な機能を提供する。処理部１５０は、要求部１５１、情報取得部１５３及び通信制御部１５５を含む。なお、処理部１５０は、これらの構成要素以外の他の構成要素をさらに含み得る。即ち、処理部１５０は、これらの構成要素の動作以外の動作も行い得る。
【００６８】
（要求部１５１）
要求部１５１は、セルラーシステムと無線ＬＡＮとの間で共用される周波数帯域（即ち、共用帯域）の測定情報をアクセスポイント２００に要求する。
【００６９】
（ａ）測定情報
例えば、上記測定情報は、ＩＥＥＥ  ８０２．１１ｋに準拠したレポート、又は当該レポートに基づいて生成される情報である。具体的には、例えば、上記レポートは、チャネル負荷レポート、ノイズヒストグラムレポート、ビーコンレポート、フレームレポート、ＳＴＡ統計レポート、位置構成情報レポート、送信ストリーム／カテゴリ測定レポート及びネイバレポートのうちの、１つ以上のレポートを含む。
【００７０】
このような測定情報によれば、例えば、基地局１００は、周辺環境における無線ＬＡＮ通信の状況を知ることが可能になる。
【００７１】
（ｂ）アクセスポイント
−ケイパビリティを有するアクセスポイント
例えば、上記アクセスポイント２００（即ち、要求部１５１が上記測定情報を要求するアクセスポイント２００）は、ＩＥＥＥ  ８０２．１１ｋのＲＲＭのケイパビリティを有するアクセスポイントである。即ち、上記アクセスポイント２００は、ＲＲＭ（Radio  Resource  Management）ケイパビリティＩＥ（Information  Element）を含むビーコンを送信するアクセスポイントである。
【００７２】
例えば、基地局１００は、基地局１００の周辺に位置する１つ以上のアクセスポイント２００により送信される１つ以上のビーコンを受信し、処理部１５０（例えば、通信制御部１５５）は、当該１つ以上のビーコンの各々の中にＲＲＭケイパビリティＩＥがあるかをチェックする。そして、処理部１５０（例えば、通信制御部１５５）は、上記１つ以上のアクセスポイントのうちの、ＲＲＭケイパビリティＩＥを含むビーコンを送信したアクセスポイント２００を選択する。その後、要求部１５１は、選択された当該アクセスポイント２００に上記測定情報を要求する。
【００７３】
−ビーコンの受信電力に基づいて選択されるアクセスポイント
例えば、上記アクセスポイント（即ち、要求部１５１が上記測定情報を要求するアクセスポイント２００）は、受信される１つ以上のビーコンの受信電力に基づいて選択されるアクセスポイントである。
【００７４】
例えば、処理部１５０（例えば、通信制御部１５５）は、ＲＲＭケイパビリティＩＥを含むビーコンを送信した１つ以上のアクセスポイント２００のうちの、最大の受信電力を伴うビーコンを送信した１つのアクセスポイントを選択する。そして、要求部１５１は、選択された当該１つのアクセスポイントに上記測定情報を要求する。
【００７５】
これにより、例えば、基地局１００に最も近いアクセスポイントから測定情報を取得することが可能になる。
【００７６】
以上、要求部１５１が上記測定情報を要求するアクセスポイント２００を説明した。なお、要求部１５１は、１つのアクセスポイント２００のみに上記測定情報を要求してもよく、又は２つ以上のアクセスポイント２００に上記測定情報を要求してもよい。
【００７７】
（ｃ）具体的な手法
例えば、要求部１５１は、無線ＬＡＮ通信を通じて、上記測定情報を上記アクセスポイント２００に要求する。より具体的には、例えば、要求部１５１は、無線通信部１２０を介して、上記測定情報を要求するフレームをアクセスポイント２００へ送信する。
【００７８】
あるいは、要求部１５１は、無線ＬＡＮ通信を通じてではなく、バックホールを介した通信を通じて、上記測定情報を上記アクセスポイント２００に要求してもよい。より具体的には、要求部１５１は、ネットワーク通信部１３０を介して、上記測定情報を要求するメッセージをアクセスポイント２００へ送信してもよい。
【００７９】
以上のように、アクセスポイント２００に測定情報が要求される。これにより、例えば、基地局１００は必要に応じて測定情報を取得することが可能になる。
【００８０】
なお、要求部１５１は、ＩＥＥＥ  ８０２．１１ｋのＲＲＭのケイパビリティを有するアクセスポイントが送信するビーコンを基地局１００が受信する場合に限り、上述したような要求を行う。
【００８１】
また、例えば、要求部１５１は、アクセスポイント２００により送信されるビーコンの受信状況に関する所定の条件が満たされない場合に、上述したような要求を行う。なお、当該所定の条件は後述する。
【００８２】
（情報取得部１５３）
情報取得部１５３は、アクセスポイント２００により提供される共用帯域の測定情報を取得する。
【００８３】
例えば、上述したように、要求部１５１が、共用帯域の測定情報をアクセスポイント２００に要求すると、アクセスポイント２００は、当該共用帯域の測定情報を基地局１００に提供する。そして、当該測定情報は、記憶部１４０に記憶される。その後のいずれかのタイミングで、情報取得部１５３は、当該測定情報を取得する。
【００８４】
なお、上述したように、例えば、上記測定情報は、ＩＥＥＥ  ８０２．１１ｋに準拠したレポート、又は当該レポートに基づいて生成される情報である。具体的には、例えば、上記レポートは、チャネル負荷レポート、ノイズヒストグラムレポート、ビーコンレポート、フレームレポート、ＳＴＡ統計レポート、位置構成情報レポート、送信ストリーム／カテゴリ測定レポート及びネイバレポートのうちの、１つ以上のレポートを含む。
【００８５】
（通信制御部１５５）
（ａ）共用帯域の占有時間についての決定
通信制御部１５５は、上記セルラーシステムのために上記共用帯域をどの程度の時間占有するかを決定する。
【００８６】
例えば、通信制御部１５５は、上記セルラーシステムのための上記共用帯域の占有時間を決定する。当該占有時間は、上記共用帯域を実際に占有する時間であってもよく、又は上記共用帯域を占有可能な上限時間であってもよい。
【００８７】
あるいは、通信制御部１５５は、上記占有時間の代わりに、又は上記占有時間に加えて、上記セルラーシステムのための上記共用帯域の時間占有率を決定してもよい。例えば、当該時間占有率は、上記共用帯域を実際に占有する時間の割合であってもよく、又は上記共用帯域を占有可能な時間の上限割合であってもよい。
【００８８】
（ａ−１）ビーコンの受信状況に基づく決定
例えば、通信制御部１５５は、無線ＬＡＮのアクセスポイントにより送信されるビーコンの受信状況に基づいて、上記セルラーシステムのために上記共用帯域をどの程度の時間占有するかを決定する。
【００８９】
これにより、例えば、基地局１００の周辺における無線ＬＡＮのアクセスポイントの配置状況を考慮して、上記共用帯域をどの程度の時間占有するかを決定することが可能になる。そのため上記共用帯域が無線ＬＡＮにおいて使用可能な機会の減少が抑えられ得る。
【００９０】
−具体的な手法
例えば、通信制御部１５５は、上記ビーコンの上記受信状況に関する所定の条件が満たされる場合には、当該所定の条件が満たされない場合よりも、上記共用帯域をより長い時間占有することを決定する。
【００９１】
例えば、上記所定の条件は、無線ＬＡＮのアクセスポイントにより送信されるいずれのビーコンの受信電力も所定の閾値未満であることである。即ち、通信制御部１５５は、無線ＬＡＮのアクセスポイントにより送信されるいずれのビーコンの受信電力も所定の閾値未満である場合には、いずれかのビーコンの受信電力が所定の閾値以上である場合よりも、上記共用帯域をより長い時間占有することを決定する。
【００９２】
一例として、基地局１００においていずれのビーコンの受信電力も所定の閾値未満であれば、通信制御部１５５は、上記セルラーシステムのために上記共用帯域を所定の最長占有時間（又は所定の最大時間占有率で）占有することを決定する。一方、基地局１００においていずれかのビーコンの受信電力が上記所定の閾値以上であれば、通信制御部１５５は、上記セルラーシステムのために上記共用帯域を上記所定の最長占有時間よりも短い時間（又は上記所定の最大時間占有率よりも低い時間占有率で）占有することを決定する。
【００９３】
これにより、例えば、基地局１００の近傍に無線ＬＡＮのアクセスポイントが存在しない場合に、セルラーシステムのために共用帯域が長時間占有され得る。即ち、無線ＬＡＮにおいて上記共用帯域を使用可能な機会を減少させることなく、セルラーシステムのために上記共用帯域が長時間占有され得る。
【００９４】
なお、当然ながら、上記所定の条件は、無線ＬＡＮのアクセスポイントにより送信されるいずれのビーコンの受信電力も所定の閾値以下であることであってもよい。
【００９５】
−決定までの流れ
例えば、処理部１５０は、一定期間の間、基地局１００により受信されるビーコンの受信電力を測定する。例えば、ビーコンは、通常、１００ミリ秒（ｍｓ）程度の周期で送信されるので、上記一定期間は、１００ｍｓ以上の時間である。１００ｍｓよりも長い周期でビーコンを送信するアクセスポイントもあるので、上記一定期間は、１秒（ｓ）程度であってもよい。また、当該一定期間は、適宜変更されてもよい。
【００９６】
さらに、処理部１５０（例えば、通信制御部１５５）は、上記一定期間の間に受信されたいずれのビーコンの受信電力も所定の閾値未満であるかを判定する。いずれのビーコンの受信電力も上記所定の閾値未満であれば、通信制御部１５５は、上記セルラーシステムのために上記共用帯域を所定の最大占有時間（又は所定の最大時間占有率で）占有することを決定する。
【００９７】
なお、上述したような処理は、比較的長い周期で行われ得る。
【００９８】
（ａ−２）測定情報に基づく決定
とりわけ本開示の実施形態では、通信制御部１５５は、（情報取得部１５３により取得される）上記測定情報に基づいて、上記セルラーシステムのために上記共用帯域をどの程度の時間占有するかを決定する。
【００９９】
−具体的な手法
例えば、通信制御部１５５は、上記測定情報に含まれるパラメータに応じた時間だけ上記セルラーシステムのために上記共用帯域を占有することを決定する。具体的には、例えば、通信制御部１５５は、上記測定情報に含まれるパラメータに応じた占有時間（又は時間占有率）を決定する。
【０１００】
一例として、上記測定情報は、チャネル負荷レポートを含み、上記パラメータは、チャネル負荷リファレンス値を含む。この場合に、通信制御部１５５は、チャネル負荷リファレンス値が所定の閾値未満であれば、より長い占有時間（又はより高い時間占有率）を決定し、チャネル負荷リファレンス値が所定の閾値以上であれば、より短い占有時間（又はより低い時間占有率）を決定する。
【０１０１】
別の例として、上記測定情報は、ノイズヒストグラムレポートを含み、上記パラメータは、ＩＰＩ密度値を含む。この場合に、通信制御部１５５は、ＩＰＩ密度値が所定の閾値未満であれば、より長い占有時間（又はより高い時間占有率）を決定し、ＩＰＩ密度値が所定の閾値以上であれば、より短い占有時間（又はより低い時間占有率）を決定する。
【０１０２】
上記測定情報に含まれるパラメータは上述した例に限られず、上記測定情報は、様々なパラメータを含み得る。そして、様々なパラメータに応じて占有時間（又は時間占有率）が決定され得る。また、当然ながら、単一のパラメータに応じて占有時間（又は時間占有率）が決定される代わりに、複数のパラメータの組合せに応じて占有時間（又は時間占有率）が決定されてもよい。
【０１０３】
なお、例えば、通信制御部１５５は、無線ＬＡＮのアクセスポイントにより送信されるビーコンの受信状況に関する上記所定の条件が満たされない場合に、上記測定情報に基づいて、上記セルラーシステムのために上記共用帯域をどの程度の時間占有するかを決定する。上記所定の条件については、上述したとおりである。
【０１０４】
−決定までの流れ
例えば、処理部１５０（例えば、通信制御部１５５）は、上記一定期間の間に受信されたいずれのビーコンの受信電力も所定の閾値未満であるかを判定する。いずれかのビーコンの受信電力が上記所定の閾値以上であれば、処理部１５０（例えば、通信制御部１５５）は、当該１つ以上のビーコンの各々の中にＲＲＭケイパビリティＩＥがあるかをチェックする。そして、処理部１５０（例えば、通信制御部１５５）は、上記１つ以上のアクセスポイントのうちの、ＲＲＭケイパビリティＩＥを含むビーコンを送信したアクセスポイント２００を選択する。さらに、要求部１５１は、選択された当該アクセスポイント２００に上記測定情報を要求する。その後、アクセスポイント２００は、当該共用帯域の測定情報を基地局１００に提供する。
【０１０５】
その後、情報取得部１５３は、当該測定情報を取得する。そして、通信制御部１５５は、当該測定情報に含まれるパラメータに応じた時間だけ上記セルラーシステムのために上記共用帯域を占有することを決定する。
【０１０６】
なお、上述したような処理は、比較的短い周期で行われ得る。
【０１０７】
以上のように、上記測定情報に基づいて、上記セルラーシステムのために上記共用帯域をどの程度の時間占有するかが決定される。なお、上記セルラーシステムのために占有される共用帯域は、例えば、測定情報が要求された共用帯域に限られる。
【０１０８】
例えば以上のように、上記測定情報に基づいて、上記セルラーシステムのために上記共用帯域をどの程度の時間占有するかが決定される。これにより、例えば、上記共用帯域が無線ＬＡＮにおいて使用可能な機会の減少を抑えることが可能になる。より具体的には、例えば、周辺環境における無線ＬＡＮ通信の状況を考慮して、上記共用帯域をどの程度の時間占有するかが決定される。そのため、一例として、上記共用帯域が無線ＬＡＮにおいて頻繁に使用されている場合には、上記共用帯域を上記セルラーシステムのために短い時間占有することが決定され、上記共用帯域が無線ＬＡＮにおいてあまり使用されていない場合には、上記共用帯域を上記セルラーシステムのために長い時間占有することが決定される。その結果、上記共用帯域が無線ＬＡＮにおいて使用可能な機会の減少が抑えられ得る。
【０１０９】
（ａ−３）その他の決定
例えば、通信制御部１５５は、無線ＬＡＮのアクセスポイントにより送信されるビーコンの受信状況に関する上記所定の条件が満たされず、且つ、上記測定情報が提供されない場合に、上記セルラーシステムのために上記共用帯域を占有しないことを決定する。
【０１１０】
より具体的には、例えば、一定期間の間に基地局１００により受信された１つ以上のビーコンの受信電力が所定の閾値以上であるが、当該１つ以上のビーコンを送信した１つ以上のアクセスポイントのいずれも、ＩＥＥＥ  ８０２．１１ｋのＲＲＭのケイパビリティを有しない。この場合に、通信制御部１５５は、上記セルラーシステムのために上記共用帯域を占有しないことを決定する。
【０１１１】
これにより、例えば、上記共用帯域が無線ＬＡＮにおいて使用可能な機会の減少をより確実に抑えることが可能になる。
【０１１２】
（ｂ）共用帯域の占有
例えば、通信制御部１５５は、セルラーシステムのために上記共用帯域を占有する。
【０１１３】
−具体的な手法
具体的には、例えば、通信制御部１５５は、上記共用帯域を使用して、ＣＭＳＡ／ＣＡに従って、持続時間フィールドを含むフレーム（例えば、ＲＴＳフレーム又はＣＴＳフレーム）を（無線通信部１２０を介して）送信する。これにより、例えば、無線ＬＡＮのアクセスポイント及びステーションは、上記持続時間フィールドに含まれる値をＮＡＶとして設定し、当該ＮＡＶに対応する時間だけ信号の送信を控える。これにより、上記共用帯域がセルラーシステムのために占有される。
【０１１４】
なお、上記フレームの送信の代わりに、又は上記フレームの送信に加えて、通信制御部１５５は、上記共用帯域を使用して継続的に信号を送信してもよい。これにより、当該信号は無線ＬＡＮのアクセスポイント及びステーションにとってのビジートーンとなり、無線ＬＡＮのアクセスポイント及びステーションは信号の送信を控え得る。
【０１１５】
−占有の具体例
図８〜図１０を参照して、上記セルラーシステムにおける上記共用帯域の占有の具体例を説明する。これらの例では、上記測定情報に基づいて、上記セルラーシステムのための上記共用帯域の占有時間が決定される。
【０１１６】
図８は、セルラーシステムにおける共用帯域の占有の第１の例を説明するための説明図である。図８を参照すると、例えば、所定の周期５５で、基地局１００は、アクセスポイント２００に測定情報を要求する。そして、基地局１００は、測定情報の要求から所定の準備期間５１内に、アクセスポイント２００により提供される測定情報に基づいて、占有時間を決定する。上記準備期間５１の終了後、連続する占有時間５３にわたって、上記セルラーシステムのために上記共用帯域が占有される。
【０１１７】
図９は、セルラーシステムにおける共用帯域の占有の第２の例を説明するための説明図である。図９を参照すると、例えば、所定の周期５５で、基地局１００は、アクセスポイント２００に測定情報を要求する。そして、基地局１００は、測定情報の要求から所定の準備期間５１内に、アクセスポイント２００により提供される測定情報に基づいて、占有時間を決定する。とりわけこの例では、上記準備期間５１の終了後、さらに所定のオフセット時間５７だけ経過した後に、連続する占有時間５３にわたって、上記セルラーシステムのために上記共用帯域が占有される。例えば、無線ＬＡＮのアクセスポイントのバッファリングの状況に応じてこのような所定のオフセット時間５７だけ占有のタイミングが送らされ得る。
【０１１８】
図１０は、セルラーシステムにおける共用帯域の占有の第３の例を説明するための説明図である。図１０を参照すると、例えば、所定の周期５５で、基地局１００は、アクセスポイント２００に測定情報を要求する。そして、基地局１００は、測定情報の要求から所定の準備期間５１内に、アクセスポイント２００により提供される測定情報に基づいて、占有時間を決定する。とりわけこの例では、上記準備期間５１の終了後、不連続な占有時間５３にわたって、上記セルラーシステムのために上記共用帯域が占有される。
【０１１９】
例えば以上のように、上記セルラーシステムのために上記共用帯域が占有される。なお、上記共用帯域の占有は、これらの例に限られず、様々な占有の手法が適用され得る。
【０１２０】
（ｃ）共用帯域の占有タイミングについての決定
通信制御部１５５は、上記セルラーシステムのために上記共用帯域を占有するタイミングを決定してもよい。
【０１２１】
例えば、通信制御部１５５は、無線ＬＡＮのアクセスポイントのバッファリングの状況に基づいて、上記セルラーシステムのために上記共用帯域を占有するタイミングを決定してもよい。具体的には、通信制御部１５５は、受信されるビーコンのＤＴＩＭを参照することにより、アクセスポイントにデータがバッファリングされているかを判定してもよい。そして、アクセスポイントにデータがバッファリングされている場合には、通信制御部１５５は、上記セルラーシステムのために上記共用帯域を占有するタイミングを遅らせてもよい。これにより、例えば、無線ＬＡＮにおけるデータの送信の遅延を減らすことが可能になる。
【０１２２】
＜３．２．アクセスポイントの構成＞
まず、図１１を参照して、本開示の実施形態に係るアクセスポイント２００の構成の一例を説明する。図１１は、本開示の実施形態に係るアクセスポイント２００の構成の一例を示すブロック図である。図１１を参照すると、アクセスポイント２００は、アンテナ部２１０、無線通信部２２０、ネットワーク通信部２３０、記憶部２４０及び処理部２５０を備える。
【０１２３】
（アンテナ部２１０）
アンテナ部２１０は、無線通信部２２０により出力される信号を電波として空間に放射する。また、アンテナ部２１０は、空間の電波を信号に変換し、当該信号を無線通信部２２０へ出力する。
【０１２４】
（無線通信部２２０）
無線通信部２２０は、無線ＬＡＮ通信の信号を送受信する。例えば、無線通信部２２０は、無線ＬＡＮ端末４０への信号を送信し、無線ＬＡＮ端末４０からの信号を受信する。また、例えば、無線通信部２２０は、基地局１００からの信号を受信し、基地局１００への信号を送信する。例えば、無線通信部２２０は、共用帯域を使用して無線ＬＡＮ通信の信号を送受信する。
【０１２５】
（ネットワーク通信部２３０）
ネットワーク通信部２３０は、他のノードと通信する。例えば、ネットワーク通信部２３０は、バックホールを介して基地局１００と通信してもよい。
【０１２６】
（記憶部２４０）
記憶部２４０は、アクセスポイント２００の動作のためのプログラム及びデータを一時的にまたは恒久的に記憶する。
【０１２７】
（処理部２５０）
処理部２５０は、アクセスポイント２００の様々な機能を提供する。処理部２５０は、測定要求部２５１、情報取得部２５３及び情報提供部２５５を含む。なお、処理部２５０は、これらの構成要素以外の他の構成要素をさらに含み得る。即ち、処理部２５０は、これらの構成要素の動作以外の動作も行い得る。
【０１２８】
（測定要求部２５１）
測定要求部２５１は、無線ＬＡＮ端末４０（即ち、ステーション）に共用帯域についてのレポートを要求する。
【０１２９】
上記レポートは、例えば、ＩＥＥＥ  ８０２．１１ｋに準拠したレポートである。具体的には、例えば、上記レポートは、チャネル負荷レポート、ノイズヒストグラムレポート、ビーコンレポート、フレームレポート、ＳＴＡ統計レポート、位置構成情報レポート、送信ストリーム／カテゴリ測定レポート及びネイバレポートのうちの、１つ以上のレポートを含む。
【０１３０】
例えば、測定要求部２５１は、基地局１００により共用帯域の測定情報を要求されると、当該共用帯域についてのレポートを無線ＬＡＮ端末４０に要求する。具体的には、例えば、測定要求部２５１は、無線通信部２２０を介して、上記共用帯域についてのレポートを要求するフレームを無線ＬＡＮ端末４０へ送信する。
【０１３１】
（情報取得部２５３）
情報取得部２５３は、上記セルラーシステムと無線ＬＡＮとの間で共用される周波数帯域（即ち、共用帯域）の測定情報であって、無線ＬＡＮ装置により生成される当該測定情報を取得する。
【０１３２】
上記測定情報は、例えば、ＩＥＥＥ  ８０２．１１ｋに準拠したレポート、又は当該レポートに基づいて生成される情報である。
【０１３３】
一例として、上記測定情報は、ＩＥＥＥ  ８０２．１１ｋに準拠したレポートであり、上記測定情報を生成する上記無線ＬＡＮ装置は、無線ＬＡＮ端末４０である。即ち、情報取得部２５３は、無線ＬＡＮ端末４０により生成される、ＩＥＥＥ  ８０２．１１ｋに準拠したレポート（測定情報）を取得する。
【０１３４】
別の例として、上記測定情報は、ＩＥＥＥ  ８０２．１１ｋに準拠したレポートに基づいて生成される情報であってもよく、上記測定情報を生成する上記無線ＬＡＮ装置は、アクセスポイント２００であってもよい。即ち、情報取得部２５３は、ＩＥＥＥ  ８０２．１１ｋに準拠したレポートに基づいてアクセスポイント２００により生成される情報（測定情報）を取得してもよい。具体例として、処理部２５０は、無線ＬＡＮ端末４０により提供されるＩＥＥＥ  ８０２．１１ｋに準拠したレポートに含まれるパラメータから、上記測定情報として新たなパラメータ（例えば、上記レポートに含まれる上記パラメータの平均値又は合計値など）を生成してもよい。そして、情報取得部２５３は、当該新たなパラメータを上記測定情報として取得してもよい。
【０１３５】
（情報提供部２５５）
情報提供部２５５は、上記測定情報を基地局１００に提供する。
【０１３６】
例えば、情報提供部２５５は、無線ＬＡＮ通信を通じて、情報取得部２５３により取得された上記測定情報を基地局１００に提供する。より具体的には、例えば、情報提供部２５５は、無線通信部２２０を介して、上記測定情報を基地局１００へ送信する。
【０１３７】
あるいは、情報提供部２５５は、無線ＬＡＮ通信を通じてではなく、バックホールを介した通信を通じて、上記測定情報を基地局１００に提供してもよい。より具体的には、情報提供部２５５は、ネットワーク通信部２３０を介して、上記測定情報を基地局１００へ送信してもよい。
【０１３８】
これにより、例えば、基地局１００は、周辺環境における無線ＬＡＮ通信の状況を知ることが可能になる。
【０１３９】
＜＜４．処理の流れ＞＞
続いて、図１２〜図１４を参照して、本開示の実施形態に係る処理の例を説明する。
【０１４０】
（基地局の処理）
図１２は、本開示の実施形態に係る基地局１００の処理の概略的な流れの一例を示すフローチャートである。当該処理は、比較的長い周期で実行される。
【０１４１】
まず、処理部１５０は、一定期間の間に基地局１００により受信されるビーコンの受信電力を測定する（Ｓ３０１）。
【０１４２】
その後、処理部１５０（例えば、通信制御部１５５）は、上記一定期間の間に受信されたいずれのビーコンの受信電力も所定の閾値未満であるかを判定する（Ｓ３０３）。
【０１４３】
いずれのビーコンの受信電力も所定の閾値未満であれば（Ｓ３０３：Ｙｅｓ）、通信制御部１５５は、セルラーシステムのために共用帯域を所定の最長占有時間占有することを決定する。そして、処理は終了する。
【０１４４】
一方、いずれかのビーコンの受信電力が所定の閾値以上であれば（Ｓ３０３：Ｎｏ）、処理部１５０（例えば、通信制御部１５５）は、基地局１００により受信された１つ以上のビーコンを送信したいずれかのアクセスポイントが測定情報を提供可能かをチェックする（Ｓ３０７）。より具体的には、処理部１５０（例えば、通信制御部１５５）は、上記１つ以上のビーコンの各々の中にＲＲＭケイパビリティＩＥがあるかをチェックする。
【０１４５】
いずれかのアクセスポイントが測定情報を提供可能であれば（Ｓ３０７：Ｙｅｓ）、通信制御部１５５は、第１決定処理を実行することを決定する（Ｓ３０９）。そして、処理は終了する。なお、上記第１決定処理は、アクセスポイント２００により提供される測定情報に基づいてセルラーシステムにおける上記共用帯域の占有時間を決定する処理である。
【０１４６】
一方、いずれのアクセスポイントも測定情報を提供不能であれば（Ｓ３０７：Ｎｏ）、通信制御部１５５は、セルラーシステムのために共用帯域を占有しないことを決定する（Ｓ３１１）。そして、処理は終了する。
【０１４７】
なお、上述した例は、占有時間が決定される例であるが、占有時間の代わりに、又は占有時間に加えて、時間占有率が決定されてもよい。
【０１４８】
（第１決定処理）
図１３は、本開示の実施形態に係る第１決定処理の概略的な流れの一例を示すフローチャートである。当該第１決定処理は、比較的短い周期で実行される。
【０１４９】
要求部１５１は、アクセスポイント２００に共用帯域の測定情報を要求する（Ｓ３２１）。
【０１５０】
そして、情報取得部１５３は、アクセスポイント２００により提供される共用帯域の測定情報を取得する（Ｓ３２３）。
【０１５１】
その後、通信制御部１５５は、上記測定情報に含まれるパラメータに応じた占有時間を決定する（Ｓ３２５）。そして、処理は終了する。
【０１５２】
なお、上述した例は、占有時間が決定される例であるが、占有時間の代わりに、又は占有時間に加えて、時間占有率が決定されてもよい。
【０１５３】
（アクセスポイントの処理）
図１４は、本開示の実施形態に係るアクセスポイント２００の処理の概略的な流れの一例を示すフローチャートである。当該処理は、基地局１００による測定情報の要求に応じて実行される。
【０１５４】
測定要求部２５１は、無線ＬＡＮ端末４０（即ち、ステーション）に共用帯域についてのレポートを要求する（Ｓ３３１）。例えば、当該レポートは、ＩＥＥＥ  ８０２．１１ｋに準拠したレポートである。
【０１５５】
そして、情報取得部２５３は、無線ＬＡＮ装置により生成される上記共用帯域の測定情報を取得する（Ｓ３３３）。一例として、上記測定情報は、ＩＥＥＥ  ８０２．１１ｋに準拠したレポートであり、上記測定情報を生成する上記無線ＬＡＮ装置は、無線ＬＡＮ端末４０である。別の例として、上記測定情報は、ＩＥＥＥ  ８０２．１１ｋに準拠したレポートに基づいて生成される情報であってもよく、上記測定情報を生成する上記無線ＬＡＮ装置は、アクセスポイント２００であってもよい。この場合には、処理部１５０は、ＩＥＥＥ  ８０２．１１ｋに準拠したレポートに基づいて上記測定情報を生成してもよい。
【０１５６】
情報提供部２５５は、上記共用帯域の上記測定情報を基地局１００に提供する（Ｓ３３５）。そして、処理は終了する。
【０１５７】
＜＜５．変形例＞＞
続いて、図１５及び図１６を参照して、本実施形態の変形例を説明する。
【０１５８】
上述した本実施形態の例では、無線ＬＡＮのアクセスポイントにより送信されるビーコンの受信状況に関する上記所定の条件が満たされず、且つ、上記測定情報が提供されない場合に、上記セルラーシステムのために上記共用帯域を占有しないことが決定される。
【０１５９】
一方、本実施形態の変形例では、無線ＬＡＮのアクセスポイントにより送信されるビーコンの受信状況に関する上記所定の条件が満たされず、且つ、上記測定情報が提供されない場合に、無線ＬＡＮ規格に準拠した所定のフレームの上記共用帯域における受信状況に基づいて、上記セルラーシステムのために上記共用帯域をどの程度の時間占有するかが決定される。
【０１６０】
（基地局１００：通信制御部１５５）
（ａ−３）その他の決定
とりわけ本実施形態の変形例では、通信制御部１５５は、無線ＬＡＮのアクセスポイントにより送信されるビーコンの受信状況に関する上記所定の条件が満たされず、且つ、上記測定情報が提供されない場合に、無線ＬＡＮ規格に準拠した所定のフレームの上記共用帯域における受信状況に基づいて、上記セルラーシステムのために上記共用帯域をどの程度の時間占有するかを決定する。
【０１６１】
より具体的には、例えば、一定期間の間に基地局１００により受信された１つ以上のビーコンの受信電力が所定の閾値以上であるが、当該１つ以上のビーコンを送信した１つ以上のアクセスポイントのいずれも、ＩＥＥＥ  ８０２．１１ｋのＲＲＭのケイパビリティを有しない。この場合に、通信制御部１５５は、無線ＬＡＮ規格に準拠した所定のフレームの上記共用帯域における受信状況に基づいて、上記セルラーシステムのために上記共用帯域をどの程度の時間占有するかを決定する。
【０１６２】
−所定のフレームの受信状況
例えば、上記所定のフレームは、ＲＴＳフレーム及び／又はＣＴＳフレームである。
【０１６３】
例えば、上記所定のフレームの受信状況は、上記共用帯域において上記所定のフレームが受信される頻度を含む。この場合に、通信制御部１５５は、上記頻度に応じた時間だけ上記セルラーシステムのために上記共用帯域を占有することを決定する。例えば、通信制御部１５５は、上記頻度がより高い場合に、上記セルラーシステムのために上記共用帯域をより短い時間占有することを決定し、上記頻度がより低い場合に、上記セルラーシステムのために上記共用帯域をより長い時間占有することを決定する。
【０１６４】
より具体的には、例えば、処理部１５０（例えば、通信制御部１５５）は、上記共用帯域において基地局１００により所定のフレームが受信される頻度を算出する。そして、通信制御部１５５は、算出された当該頻度に応じた占有時間（又は時間占有率）を決定する。
【０１６５】
以上のように、上記所定のフレームの上記共用帯域における受信状況に基づいて、上記セルラーシステムのために上記共用帯域をどの程度の時間占有するかを決定する。これにより、例えば、上記共用帯域が無線ＬＡＮにおいて使用可能な機会の減少を抑えつつ、上記セルラーシステムのために上記共用帯域が専有される時間をより長くすることが可能になる。
【０１６６】
（処理の流れ：基地局の処理）
図１５は、本開示の実施形態の変形例に係る基地局１００の処理の概略的な流れの一例を示すフローチャートである。当該処理は、比較的長い周期で実行される。
【０１６７】
なお、図１５に示されるステップＳ３５１〜Ｓ３５９の説明は、図１２に示されるステップＳ３０１〜Ｓ３０９の説明と同じである。よって、ここではステップＳ３６１のみを説明し、重複する記載を省略する。
【０１６８】
いずれのアクセスポイントも測定情報を提供不能であれば（Ｓ３５７：Ｎｏ）、通信制御部１５５は、第２決定処理を実行することを決定する（Ｓ３６１）。そして、処理は終了する。なお、上記第２決定処理は、無線ＬＡＮ規格に準拠した所定のフレームの受信状況に基づいてセルラーシステムにおける上記共用帯域の占有時間を決定する処理である。
【０１６９】
なお、上述した例は、占有時間が決定される例であるが、占有時間の代わりに、又は占有時間に加えて、時間占有率が決定されてもよい。
【０１７０】
（処理の流れ：第２決定処理）
図１６は、本開示の実施形態に係る第２決定処理の概略的な流れの一例を示すフローチャートである。当該第２決定処理は、比較的短い周期で実行される。
【０１７１】
処理部１５０（例えば、通信制御部１５５）は、上記共用帯域において基地局１００により所定のフレームが受信される頻度を算出する（Ｓ３７１）。
【０１７２】
そして、通信制御部１５５は、算出された上記頻度に応じた占有時間を決定する（Ｓ３７３）。
【０１７３】
なお、上述した例は、占有時間が決定される例であるが、占有時間の代わりに、又は占有時間に加えて、時間占有率が決定されてもよい。
【０１７４】
＜＜６．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。
【０１７５】
また、例えば、アクセスポイント２００は、ルータ機能を有し又はルータ機能を有しない無線ＬＡＮアクセスポイント（無線基地局ともいう）として実現されてもよい。また、アクセスポイント２００は、モバイル無線ＬＡＮルータとして実現されてもよい。さらに、アクセスポイント２００の少なくとも一部の構成要素は、これら装置に搭載されるモジュール（例えば、１つのダイで構成される集積回路モジュール）として実現されてもよい。
【０１７６】
＜６．１．基地局に関する応用例＞
（第１の応用例）
図１７は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１７７】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１７に示したように複数のアンテナ８１０を有し、複数のアンテナ８１０は、例えばｅＮＢ８００が使用する複数の周波数帯域にそれぞれ対応してもよい。なお、図１７にはｅＮＢ８００が複数のアンテナ８１０を有する例を示したが、ｅＮＢ８００は単一のアンテナ８１０を有してもよい。
【０１７８】
基地局装置８２０は、コントローラ８２１、メモリ８２２、ネットワークインタフェース８２３及び無線通信インタフェース８２５を備える。
【０１７９】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１８０】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１８１】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１８２】
無線通信インタフェース８２５は、図１７に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１７に示したように複数のＲＦ回路８２７を含み、複数のＲＦ回路８２７は、例えば複数のアンテナ素子にそれぞれ対応してもよい。なお、図１７には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１８３】
さらに、無線通信インタフェース８２５は、セルラー通信方式に加えて、無線ＬＡＮ通信方式をサポートしてもよく、その場合に、無線ＬＡＮ通信方式のＢＢプロセッサ８２６及びＲＦ回路８２７を含んでもよい。
【０１８４】
図１７に示したｅＮＢ８００において、図７を参照して説明した処理部１５０に含まれる１つ以上の構成要素（例えば、要求部１５１、情報取得部１５３及び／又は通信制御部１５５）は、無線通信インタフェース８２５において実装されてもよい。あるいは、上記１つ以上の構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又コントローラ８２１を含むモジュールを搭載し、当該モジュールにおいて上記１つ以上の構成要素（例えば、要求部１５１、情報取得部１５３及び／又は通信制御部１５５）が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又コントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記憶した読み取り可能な記憶媒体が提供されてもよい。
【０１８５】
また、図１７に示したｅＮＢ８００において、図７を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。
【０１８６】
（第２の応用例）
図１８は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１８７】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１８に示したように複数のアンテナ８４０を有し、複数のアンテナ８４０は、例えばｅＮＢ８３０が使用する複数の周波数帯域にそれぞれ対応してもよい。なお、図１８にはｅＮＢ８３０が複数のアンテナ８４０を有する例を示したが、ｅＮＢ８３０は単一のアンテナ８４０を有してもよい。
【０１８８】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１７を参照して説明したコントローラ８２１、メモリ８２２及びネットワークインタフェース８２３と同様のものである。
【０１８９】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１７を参照して説明したＢＢプロセッサ８２６と同様のものである。無線通信インタフェース８５５は、図１８に示したように複数のＢＢプロセッサ８５６を含み、複数のＢＢプロセッサ８５６は、例えばｅＮＢ８３０が使用する複数の周波数帯域にそれぞれ対応してもよい。なお、図１８には無線通信インタフェース８５５が複数のＢＢプロセッサ８５６を含む例を示したが、無線通信インタフェース８５５は単一のＢＢプロセッサ８５６を含んでもよい。
【０１９０】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１９１】
また、ＲＲＨ８６０は、接続インタフェース８６１及び無線通信インタフェース８６３を備える。
【０１９２】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１９３】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１８に示したように複数のＲＦ回路８６４を含み、複数のＲＦ回路８６４は、例えば複数のアンテナ素子にそれぞれ対応してもよい。なお、図１８には無線通信インタフェース８６３が複数のＲＦ回路８６４を含む例を示したが、無線通信インタフェース８６３は単一のＲＦ回路８６４を含んでもよい。
【０１９４】
さらに、無線通信インタフェース８５５は、セルラー通信方式に加えて、無線ＬＡＮ通信方式をサポートしてもよく、その場合に、無線ＬＡＮ通信方式のＢＢプロセッサ８５６を含んでもよい。
【０１９５】
図１８に示したｅＮＢ８３０において、図７を参照して説明した処理部１５０に含まれる１つ以上の構成要素（例えば、要求部１５１、情報取得部１５３及び／又は通信制御部１５５）は、無線通信インタフェース８５５及び／又は無線通信インタフェース８６３において実装されてもよい。あるいは、上記１つ以上の構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又コントローラ８５１を含むモジュールを搭載し、当該モジュールにおいて上記１つ以上の構成要素（例えば、要求部１５１、情報取得部１５３及び／又は通信制御部１５５）が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又コントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記憶した読み取り可能な記憶媒体が提供されてもよい。
【０１９６】
また、図１８に示したｅＮＢ８３０において、例えば、図７を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。
【０１９７】
＜６．２．アクセスポイントに関する応用例＞
図１９は、本開示に係る技術が適用され得る無線アクセスポイント９５０の概略的な構成の一例を示すブロック図である。無線アクセスポイント９５０は、コントローラ９５１、メモリ９５２、入力デバイス９５４、表示デバイス９５５、ネットワークインタフェース９５７、無線通信インタフェース９６３、アンテナスイッチ９６４及びアンテナ９６５を備える。
【０１９８】
コントローラ９５１は、例えばＣＰＵ又はＤＳＰ（Digital  Signal  Processor）であってよく、無線アクセスポイント９５０のＩＰ（Internet  Protocol）レイヤ及びより上位のレイヤの様々な機能（例えば、アクセス制限、ルーティング、暗号化、ファイアウォール及びログ管理など）を動作させる。メモリ９５２は、ＲＡＭ及びＲＯＭを含み、コントローラ９５１により実行されるプログラム、及び様々な制御データ（例えば、端末リスト、ルーティングテーブル、暗号鍵、セキュリティ設定及びログなど）を記憶する。
【０１９９】
入力デバイス９５４は、例えば、ボタン又はスイッチなどを含み、ユーザからの操作を受け付ける。表示デバイス９５５は、ＬＥＤランプなどを含み、無線アクセスポイント９５０の動作ステータスを表示する。
【０２００】
ネットワークインタフェース９５７は、無線アクセスポイント９５０が有線通信ネットワーク９５８に接続するための有線通信インタフェースである。ネットワークインタフェース９５７は、複数の接続端子を有してもよい。有線通信ネットワーク９５８は、イーサネット（登録商標）などのＬＡＮであってもよく、又はＷＡＮ（Wide  Area  Network）であってもよい。
【０２０１】
無線通信インタフェース９６３は、ＩＥＥＥ８０２．１１ａ、１１ｂ、１１ｇ、１１ｎ、１１ａｃ及び１１ａｄなどの無線ＬＡＮ標準のうちの１つ以上をサポートし、近傍の端末へアクセスポイントとして無線接続を提供する。無線通信インタフェース９６３は、典型的には、ベースバンドプロセッサ、ＲＦ回路及びパワーアンプなどを含み得る。無線通信インタフェース９６３は、通信制御プログラムを記憶するメモリ、当該プログラムを実行するプロセッサ及び関連する回路を集積したワンチップのモジュールであってもよい。アンテナスイッチ９６４は、無線通信インタフェース９６３に含まれる複数の回路の間でアンテナ９６５の接続先を切り替える。アンテナ９６５は、単一の又は複数のアンテナ素子を有し、無線通信インタフェース９６３による無線信号の送信及び受信のために使用される。
【０２０２】
図１９に示した無線アクセスポイント９５０において、図１１を参照して説明した処理部２５０に含まれる１つ以上の構成要素（例えば、測定要求部２５１、情報取得部２５３及び／又は情報提供部２５５）は、無線通信インタフェース９６３において実装されてもよい。また、上記１つ以上の構成要素の少なくとも一部は、コントローラ９５１において実装されてもよい。一例として、無線アクセスポイント９５０は、無線通信インタフェース９６３及び／又はコントローラ９５１を含むモジュールを搭載し、当該モジュールにおいて上記１つ以上の構成要素（例えば、測定要求部２５１、情報取得部２５３及び／又は情報提供部２５５）が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムが無線アクセスポイント９５０にインストールされ、無線通信インタフェース９６３及び／又はコントローラ９５１が当該プログラムを実行してもよい。以上のように、上記１つ以上の構成要素を備える装置として無線アクセスポイント９５０又は上記モジュールが提供されてもよく、プロセッサを上記１つ以上の構成要素として機能させるためのプログラムが提供されてもよい。また、上記プログラムを記憶した読み取り可能な記憶媒体が提供されてもよい。
【０２０３】
また、図１９に示した無線アクセスポイント９５０において、例えば、図１１を参照して説明した無線通信部２２０は、無線通信インタフェース９６３において実装されてもよい。また、アンテナ部２１０は、アンテナ９６５において実装されてもよい。また、ネットワーク通信部２３０は、コントローラ９５１及び／又はネットワークインタフェース９５７において実装されてもよい。
【０２０４】
＜＜７．まとめ＞＞
ここまで、図１〜図１９を参照して、本開示の実施形態に係る装置及び各処理を説明した。
【０２０５】
本開示に係る実施形態によれば、基地局１００は、セルラーシステムと無線ＬＡＮとの間で共用される周波数帯域（即ち、共用帯域）の測定情報であって、無線ＬＡＮのアクセスポイントにより提供される上記測定情報を取得する情報取得部１５３と、上記測定情報に基づいて、上記セルラーシステムのために上記周波数帯域（即ち、共用帯域）をどの程度の時間占有するかを決定する通信制御部１５５と、を備える。
【０２０６】
これにより、例えば、上記共用帯域が無線ＬＡＮにおいて使用可能な機会の減少を抑えることが可能になる。より具体的には、例えば、周辺環境における無線ＬＡＮ通信の状況を考慮して、上記共用帯域をどの程度の時間占有するかが決定される。そのため、一例として、上記共用帯域が無線ＬＡＮにおいて頻繁に使用されている場合には、上記共用帯域を上記セルラーシステムのために短い時間占有することが決定され、上記共用帯域が無線ＬＡＮにおいてあまり使用されていない場合には、上記共用帯域を上記セルラーシステムのために長い時間占有することが決定される。その結果、上記共用帯域が無線ＬＡＮにおいて使用可能な機会の減少が抑えられ得る。
【０２０７】
また、本開示に係る実施形態によれば、アクセスポイント２００は、セルラーシステムと無線ＬＡＮとの間で共用される周波数帯域（即ち、共用帯域）の測定情報であって、無線ＬＡＮ装置により生成される当該測定情報を取得する情報取得部２５３と、上記測定情報を上記セルラーシステムの基地局に提供する情報提供部２５５と、を備える。
【０２０８】
これにより、例えば、上記セルラーシステムの基地局（即ち、基地局１００）は、周辺環境における無線ＬＡＮ通信の状況を知ることが可能になる。
【０２０９】
以上、添付図面を参照しながら本開示の好適な実施形態を説明したが、本開示は係る例に限定されないことは言うまでもない。当業者であれば、請求の範囲に記載された範疇内において、各種の変更例又は修正例に想到し得ることは明らかであり、それらについても当然に本開示の技術的範囲に属するものと了解される。
【０２１０】
例えば、無線ＬＡＮのアクセスポイントにより提供される測定情報がＩＥＥＥ  ８０２．１１ｋに準拠したレポート、又は当該レポートに基づいて生成される情報である例を説明したが、本開示は係る例に限定されない。例えば、上記測定情報は、ＩＥＥＥ  ８０２．１１ｋの改訂規格に準拠したレポート、又は当該レポートに基づいて生成される情報であってもよい。あるいは、上記測定情報は、他の種類の測定情報であってもよい。
【０２１１】
また、例えば、セルラーシステムがＬＴＥ、ＬＴＥ−Ａｄｖａｎｃｅｄ、又はこれらに準ずる通信規格に準拠したシステムである例を説明したが、本開示は係る例に限定されない。例えば、セルラーシステムは、他の通信規格に準拠したシステムであってもよい。
【０２１２】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０２１３】
また、本明細書の基地局に備えられるプロセッサ（例えば、ＣＰＵ、ＤＳＰなど）を上記基地局の構成要素（例えば、要求部、情報取得部及び／又は通信制御部）として機能させるためのコンピュータプログラム（換言すると、上記プロセッサに上記基地局１００の構成要素の動作を実行させるためのコンピュータプログラム）も作成可能である。また、当該コンピュータプログラムを記憶した記憶媒体も提供されてもよい。また、上記コンピュータプログラムを記憶するメモリと、上記コンピュータプログラムを実行可能な１つ以上のプロセッサとを備える装置（例えば、完成品、又は完成品のためのモジュール（部品、処理回路若しくはチップなど））も提供されてもよい。また、基地局１００の構成要素（例えば、要求部、情報取得部及び／又は通信制御部）の動作を含む方法も、本開示に係る技術に含まれる。なお、本明細書のアクセスポイント及び当該アクセスポイントの構成要素（例えば、測定要求部、情報取得部及び／又は情報提供部）にも、上記基地局及び上記基地局の構成要素と同じことが言える。
【０２１４】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０２１５】
なお、以下のような構成も本開示の技術的範囲に属する。
（１）
セルラーシステムと無線ＬＡＮ（Local  Area  Network）との間で共用される周波数帯域の測定情報であって、無線ＬＡＮのアクセスポイントにより提供される前記測定情報を取得する取得部と、
前記測定情報に基づいて、前記セルラーシステムのために前記周波数帯域をどの程度の時間占有するかを決定する制御部と、
を備える装置。
（２）
前記アクセスポイントに前記測定情報を要求する要求部をさらに備える、前記（１）に記載の装置。
（３）
前記アクセスポイントは、受信される１つ以上のビーコンの受信電力に基づいて選択されるアクセスポイントである、前記（２）に記載の装置。
（４）
前記測定情報は、ＩＥＥＥ  ８０２．１１ｋに準拠したレポート、又は当該レポートに基づいて生成される情報である、前記（１）〜（３）のいずれか１項に記載の装置。
（５）
前記アクセスポイントは、ＲＲＭ（Radio  Resource  Management）ケイパビリティＩＥ（Information  Element）を含むビーコンを送信するアクセスポイントである、前記（４）に記載の装置。
（６）
前記制御部は、無線ＬＡＮのアクセスポイントにより送信されるビーコンの受信状況に基づいて、前記セルラーシステムのために前記周波数帯域をどの程度の時間占有するかを決定する、前記（１）〜（５）のいずれか１項に記載の装置。
（７）
前記制御部は、前記受信状況に関する所定の条件が満たされる場合には、当該所定の条件が満たされない場合よりも、前記周波数帯域をより長い時間占有することを決定する、前記（６）に記載の装置。
（８）
前記制御部は、前記受信状況に関する所定の条件が満たされない場合に、前記測定情報に基づいて、前記セルラーシステムのために前記周波数帯域をどの程度の時間占有するかを決定する、前記（６）又は（７）に記載の装置。
（９）
前記制御部は、前記受信状況に関する所定の条件が満たされず、且つ、前記測定情報が提供されない場合に、前記セルラーシステムのために前記周波数帯域を占有しないことを決定する、前記（６）〜（８）のいずれか１項に記載の装置。
（１０）
前記制御部は、前記受信状況に関する所定の条件が満たされず、且つ、前記測定情報が提供されない場合に、無線ＬＡＮ規格に準拠した所定のフレームの前記周波数帯域における受信状況に基づいて、前記セルラーシステムのために前記周波数帯域をどの程度の時間占有するかを決定する、前記（６）〜（８）のいずれか１項に記載の装置。
（１１）
前記所定の条件は、無線ＬＡＮのアクセスポイントにより送信されるいずれのビーコンの受信電力も所定の閾値未満であること、又は、無線ＬＡＮのアクセスポイントにより送信されるいずれのビーコンの受信電力も所定の閾値以下であることである、前記（７）〜（１０）のいずれか１項に記載の装置。
（１２）
前記制御部は、無線ＬＡＮのアクセスポイントのバッファリングの状況に基づいて、前記セルラーシステムのために前記周波数帯域を占有するタイミングを決定する、前記（１）〜（１１）のいずれか１項に記載の装置。
（１３）
前記制御部は、前記セルラーシステムのための前記周波数帯域の占有時間を決定する、前記（１）〜（１２）のいずれか１項に記載の装置。
（１４）
前記制御部は、前記セルラーシステムのための前記周波数帯域の時間占有率を決定する、前記（１）〜（１２）のいずれか１項に記載の装置。
（１５）
前記周波数帯域は、無線ＬＡＮのチャネルである、前記（１）〜（１４）のいずれか１項に記載の装置。
（１６）
前記装置は、前記セルラーシステムの基地局、当該基地局のための基地局装置、又は当該基地局装置のためのモジュールである、前記（１）〜（１５）のいずれか１項に記載の装置。
（１７）
セルラーシステムと無線ＬＡＮとの間で共用される周波数帯域の測定情報であって、無線ＬＡＮのアクセスポイントにより提供される前記測定情報を取得することと、
プロセッサにより、前記測定情報に基づいて、前記セルラーシステムのために前記周波数帯域をどの程度の時間占有するかを決定することと、
を含む方法。
（１８）
セルラーシステムと無線ＬＡＮとの間で共用される周波数帯域の測定情報であって、無線ＬＡＮ装置により生成される当該測定情報を取得する取得部と、
前記測定情報を前記セルラーシステムの基地局に提供する提供部と、
を備える装置。
（１９）
前記装置は、無線ＬＡＮのアクセスポイント、又は前記アクセスポイントのためのモジュールである、前記（１８）に記載の装置。
（２０）
セルラーシステムと無線ＬＡＮとの間で共用される周波数帯域の測定情報であって、無線ＬＡＮ装置により生成される当該測定情報を取得することと、
プロセッサにより、前記測定情報を前記セルラーシステムの基地局に提供することと、
を含む方法。
（２１）
セルラーシステムと無線ＬＡＮとの間で共用される周波数帯域の測定情報であって、無線ＬＡＮのアクセスポイントにより提供される前記測定情報を取得することと、
前記測定情報に基づいて、前記セルラーシステムのために前記周波数帯域をどの程度の時間占有するかを決定することと、
をプロセッサに実行させるためのプログラム。
（２２）
セルラーシステムと無線ＬＡＮとの間で共用される周波数帯域の測定情報であって、無線ＬＡＮのアクセスポイントにより提供される前記測定情報を取得することと、
前記測定情報に基づいて、前記セルラーシステムのために前記周波数帯域をどの程度の時間占有するかを決定することと、
をプロセッサに実行させるためのプログラムを記録した読み取り可能な記録媒体。
（２３）
セルラーシステムと無線ＬＡＮとの間で共用される周波数帯域の測定情報であって、無線ＬＡＮ装置により生成される当該測定情報を取得することと、
前記測定情報を前記セルラーシステムの基地局に提供することと、
をプロセッサに実行させるためのプログラム。
（２４）
セルラーシステムと無線ＬＡＮとの間で共用される周波数帯域の測定情報であって、無線ＬＡＮ装置により生成される当該測定情報を取得することと、
前記測定情報を前記セルラーシステムの基地局に提供することと、
をプロセッサに実行させるためのプログラムを記録した読み取り可能な記録媒体。
【符号の説明】
【０２１６】
１        通信システム
１０      セル
３０      セルラー端末
４０      無線ＬＡＮ端末
１００    基地局
１５１    要求部
１５３    情報取得部
１５５    通信制御部
２００    アクセスポイント
２５１    測定要求部
２５３    情報取得部
２５５    通信提供部
【図１】
2015146340.tif 000004
【図２】
2015146340.tif 000005
【図３】
2015146340.tif 000006
【図４】
2015146340.tif 000007
【図５】
2015146340.tif 000008
【図６】
2015146340.tif 000009
【図７】
2015146340.tif 000010
【図８】
2015146340.tif 000011
【図９】
2015146340.tif 000012
【図１０】
2015146340.tif 000013
【図１１】
2015146340.tif 000014
【図１２】
2015146340.tif 000015
【図１３】
2015146340.tif 000016
【図１４】
2015146340.tif 000017
【図１５】
2015146340.tif 000018
【図１６】
2015146340.tif 000019
【図１７】
2015146340.tif 000020
【図１８】
2015146340.tif 000021
【図１９】
2015146340.tif 000022
【国際調査報告】
2015146340.tif 000023
2015146340.tif 000024
2015146340.tif 000025
2015146340.tif 000026